(57)【要約】      （修正有）【課題】エレベーターの籠の昇降操作ボタンが多数あっても、自己が行こうとする階のボタンを素早く見つけることが出来るようにした昇降操作ボタンを提供する。【解決手段】大きな長方形の基本階表示部１がその昇降階表示用の釦手段Ｂの先端に設けられ、この基本階表示部１とは別の各昇降階表示用の釦手段Ｂの先端に設けられた大きな長方形の「０」表示階表示部２がある。上記の「０」表示階表示部２及び上記の基本階表示部１とは別の各昇降階表示用の釦手段Ｂの先端に設けられた大名長方形の「５」表示階表示部３がある。上記の基本階表示部１と「０」表示階表示部２とは別の各昇降階表示用の釦手段の先端に設けられた小さな円形の一般階表示部４がある。釦機構部Ｍが上記の一般階表示部４と基本階表示部１と上記の「０」表示階表示部２と「５」表示階表示部３にそれぞれの昇降階表示用の釦手段Ｂを通じて結合する。【選択図】図３
0003124941.tif 000002
【実用新案登録請求の範囲】
【請求項１】
昇降階表示用のボタン手段の先端に設けられたものであってサイズや形状や色彩やその他のデザインなど符号以外の視覚的認識により一般の階の表示と区別し基本階であることを表示するその階の符号付きの基本階表示部、該基本階表示部とは別のそれぞれの昇降階表示用のボタン手段の先端に設けられたものであってサイズや形状や色彩やその他のデザインなど符号以外の視覚的認識により一般の階の表示と区別し「０」表示階であることを表示するその階の符号付きの「０」表示階表示部、該「０」表示階表示部及び上記の基本階表示部とは別のそれぞれの昇降階表示用のボタン手段の先端に設けられたものであってサイズや形状や色彩やその他のデザインなど符号以外の視覚的認識により一般の階の表示と区別し「５」表示階であることを表示するその階の符号付きの「５」表示階表示部、該「５」表示階表示部、と上記の基本階表示部と「０」表示階表示部とは別のそれぞれの昇降階表示用のボタン手段の先端に設けられたものであって通常のサイズや形状や色彩やその他のデザインなど符号以外の視覚的認識により一般の階の表示であることを表示するその階の符号付きの一般階表示部、および該一般階表示部と上記の基本階表示部と「０」表示階表示部と「５」表示階表示部に結合するボタン機構部、より構成されることを特徴としたエレベーターの籠の昇降操作ボタン。
【考案の詳細な説明】
【技術分野】
【０００１】
本考案は、広くはビルなどのエレベーターに関するものであり、特にその籠内に設けられている昇降操作用ボタンに関するものである。就中、そのボタンの表示区分けに関するものである。
【背景技術】
【０００２】
従来、エレベーターの昇降操作用ボタンに関しては、ただ昇降階を示すボタンが並べて配置してあるに過ぎなかった。エレベーターが設置されるビルが５階とか１０階とかの低層ビルの場合は、そのような状態でも全く問題がなかった。したがって、超高層ビルのエレベーターにおいても、図１に示すようにそのような従来の低層ビル用のエレベーターと同じ昇降階操作ボタンの配列となっている。
【０００３】
なお、エレベーターの昇降階のパネルに関しては下記の公報があるが、その１の文献は階数の表示パネルに関するものであって、本願考案のごとくの昇降階操作ボタンに関するものではない。また、その２の文献も、本願考案のごとくの昇降階操作ボタンの形状等に関するものではない。
【特許文献１】実開昭５５−４６４２１
【特許文献２】実開昭５７−１９０５７０
【考案の開示】
【考案が解決しようとする課題】
【０００４】
しかして、ビルが２０階とか３０階とか以上の超高層になると、そのエレベーターの昇降操作用のボタンの数も何十個にも増えてしまい、自分の行く階のボタンをさがすのに手間取ってしまう。特に、超高層ビルの場合には、そのエレベーターも大型になるので、乗客数も増えてそのボタン捜しが大勢の乗降者によって行われるので慌てることが多い。そして、そのボタンの配列も図１の様に、１と１１，２と１２，３と１３−−−−９と１９という具合に横に整然と並んでいるのであれば比較的にその問題は少ない。しかし、実際には高層ビルには地下室もあるので図２のように、そのボタンは横並びに整然と成ってはいない。そして、ビルの高さはまちまちなので、その数字の並びは整然としていない方が一般的で行く先階をさがす不便さを増している。
【０００５】
その上に、自分の行く先階ならば比較的落ち着いてその階のボタンをさがし出すことが出来るが、先に乗ってそのエレベーターの奥に行った者から突然に行き先階を言われてその階のボタンをさがすときには特に慌ててしまうことが多い。これについては皆それとなく感じてはいるが、その不便さには気づかずに日常の当たり前のこととして行っている。本願発明者は、そのような状態において、誰もが行く先階のボタンをさがすのに一様に不思議な格好をすることに気づいた。すなわち、行く先の昇降階のボタンさがしに、大げさではないが皆慌てていることを発見した。そして、自分も不便には思いながらも、それが当たり前なことと行っていたので、その気づかなかった不便さを解消すべく本願考案を成した。
【課題を解決するための手段】
【０００６】
本考案にかかるエレベーターの籠の昇降操作ボタンは、以上の課題を解決するために、そのエレベーターの籠についている昇降階操作ボタンの表示部のサイズや形状等に変化をつけて、その自分が行く目的の昇降階のボタンを極めて容易にさがし出せる構成にした。
【０００７】
以下に、本考案にかかるエレベーターの籠の昇降操作ボタンの具体的な構成を詳細に記載する。この考案は、まずその階の符号付きの基本階表示部がある。この基本階表示部は、昇降階表示用のボタン手段の先端に設けられたものであって、そのサイズや形状や色彩やその他のデザインなど符号以外の視覚的認識により一般の階の表示と区別し基本階であることを表示するものである。つぎに、その階の符号付きの「０」表示階表示部がある。この「０」表示階表示部は、上記の基本階表示部とは別のそれぞれの昇降階表示用のボタン手段の先端に設けられたものであって、そのサイズや形状や色彩やその他のデザインなど符号以外の視覚的認識により一般の階の表示と区別し「０」表示階であることを表示するものである。
【０００８】
そして、その階の符号付きの「５」表示階表示部がある。この「５」表示階表示部は、上記の「０」表示階表示部及び上記の基本階表示部とは別のそれぞれの昇降階表示用のボタン手段の先端に設けられたものであって、そのサイズや形状や色彩やその他のデザインなど符号以外の視覚的認識により一般の階の表示と区別し「５」表示階であることを表示するものである。さらに、その階の符号付きの一般階表示部がある。この一般階表示部は、上記の「５」表示階表示部、と上記の基本階表示部と「０」表示階表示部とは別のそれぞれの昇降階表示用のボタン手段の先端に設けられたものであって、通常のサイズや形状や色彩やその他のデザインなど符号以外の視覚的認識により一般の階の表示であることを表示するものである。最後に、ボタン機構部がある。このボタン機構部は、上記の一般階表示部と基本階表示部と上記の「０」表示階表示部と「５」表示階表示部に結合するものである。
【考案の効果】
【０００９】
本考案にかかるエレベーターの籠の昇降操作ボタンは、以上のごとくになしたゆえに、上記の課題を解決して以下のごとき多大な効果が生じた。すなわち、エレペーターの籠の昇降操作ボタンが多数あっても、自己が行こうとする階のボタンを素早く見つけることが出来るようになった。
【考案を実施するための最良の形態】
【００１０】
そのエレベーターの籠についている昇降階操作ボタンの表示部のサイズや形状等に工夫をしたことにより、その自分が行く目的の昇降階のボタンを極めて容易にさがし出せる  と言う利点がある。
【実施例１】
【００１１】
しかして、本考案にかかるエレベーターの籠の昇降操作ボタンをその具体的な実施例を用いて添付の図面と共に詳細に述べる。この考案は、図３に示すように、パネルＰの面に配列されたボタンに関するものである。しかして、まず、その階の符号（ここではその階を示す数字）付きの大きな長方形の基本階表示部１がある。この基本階表示部１は、その昇降階表示用のボタン手段Ｂの先端に設けられたものである。そして、これが１階であることを示す数字の１も目立つように太く大きく記載してある。この基本階表示部１の大きさと形状は、本実施例ではつぎに述べる「０」表示階表示部２と「５」表示階表示部３と同じであるが、後に述べる他の実施例では異なっている。特に、ホテルのフロント階が基本階になる様なところでは、この基本階が最も重要なので、この基本階表示部１は最も目立ちやすいサイズや形状とか色彩やその他のデザインにすると良い。しかして、この基本階表示部１は、昇降階表示用のボタン手段Ｂ（図４参照）の先端に設けられたものであって、そのサイズと形状を、その視覚的認識により後に述べる一般の階の表示と区別できるようにし、そのボタンが基本階であることを表示している。
【００１２】
なお、本願明細書において、基本階とは、そのビルのエレベーターの基本となる階のことを意味し、日本やアメリカでは一般的にはそのビルの出入り階である１階（１）を指し、英国等ではグランドフロアーとなる（Ｇ）を指す。ただし、日本などにおいても傾斜地その他の理由でビルの形態によっては、主たる出入り口が２階とか地下１階とかであったり、そのビルの１階は商店であり２階がそのエレベータの基本となる階の場合もある。あるいは、ホテルなどではフロントが２階にある場合もある。したがって、このような場合には、それらの階が基本階となる。
【００１３】
つぎに、その階の符号（これもその階を示す数字）付きの大きな長方形の「０」表示階表示部２がある。この「０」表示階表示部２は、上記の基本階表示部１とは別のそれぞれの昇降階表示用のボタン手段Ｂの先端に設けられたものであって、そのサイズと形状を、視覚的認識により後に述べる一般の階の表示と区別し「０」表示階であることを表示している。そして、これが０のつく階であることを示す数字のも目立つように太く大きく記載してある。なお、本願明細書において「０」表示階とは、１０，２０，３０，４０と言うようにその階を表示する数字の下一桁が「０」になる数字の階を意味するものである。
【００１４】
そして、その階の符号（これもその階を示す数字）付きの大きな長方形の「５」表示階表示部３がある。この「５」表示階表示部３は、上記の「０」表示階表示部２及び上記の基本階表示部１とは別のそれぞれの昇降階表示用のボタン手段Ｂの先端に設けられたものであって、そのサイズと形状を、視覚的認識により後に述べる一般の階の表示と区別し「５」表示階であることを表示している。そして、これが５のつく階であることを示す数字のも目立つように太く大きく記載してある。なお、本願明細書において「５」表示階とは、５，１５，２５，３５，４５と言うようにその階を表示する数字の下一桁が「５」になる数字の階を意味するものである。
【００１５】
さらに、その階の符号（これもその階を示す数字）付きの地位サニ丸い一般階表示部４がある。この一般階表示部４は、上記の「５」表示階表示部３、と上記の基本階表示部１と「０」表示階表示部２とは別のそれぞれの昇降階表示用のボタン手段の先端に設けられたものであって、通常のサイズや形状や色彩やその他のデザインでその視覚的認識により一般の階の表示であることを表示している。なお、本願明細書において通常階とは、上記の基本階と「０」表示階と「５」表示階以外の階であって、通常の数字であらわさられる階を意味する。屋上については、高層ビルや超高層ビルの場合には一般に開放されていないので、その表示もない。したがって、本願明細書では、この階は除外している。なお、以上のそれぞれの表示部１，２，３，４に関して、サイズと形状のみを述べたが、これに色彩やその他のデザインを加味したり適用しても良い。
【００１６】
最後に、ボタン機構部Ｍがある。このボタン機構部Ｍは、上記の一般階表示部４と基本階表示部１と上記の「０」表示階表示部２と「５」表示階表示部３にそれぞれの昇降階表示用のボタン手段Ｂを通じて結合するもので、そのエレベーターの籠の昇降のスイッチ的な役目をする。
【実施例２】
【００１７】
この実施例は、基本的には上記の実施例１の構成と全く同じものである。ただ１点だけ異なるものは、上記の「５」表示階表示部３である。それは、この「５」表示階表示部３の形状である。それは、上記の実施例１においてはこの「５」表示階表示部３は、上記の「０」表示階表示部２等と同じ長方形であったが、これを図５に示すように正方形にしてやや小ぶりに見せたことである。
【００１８】
こうすることにより、上記の基本表示部１と「０」表示階表示部２が目立ち、「１」「１０」「２０」などの表示が即座にさがし出せる。それに伴ってなって、この数字「１」「１０」「２０」等の上下の表示であるＢ１と２，９と１１，１９と２１なども極めて容易にさがせる。そして、「５」「１５」「２５」と言う数字も小ぶりになったことによって、逆に見つけやすくなった。同様にして、この表示の上下の表示も一目で見つけ出せる。さらに、１と５，５と１０，１０と１５，１５と２０などの中間の表示である３と８と１３と１８なども全く問題なくさがせるようになった。
【実施例３】
【００１９】
この実施例も、基本的には上記の実施例１の構成と全く同じものである。ただ１点だけ異なるものは、上記のそれぞれの表示階表示部１，２，３，４である。それは、これらの表示階表示部１，２，３，４が、図６に示すようにその数字を１と１１，２と１２，３と１３と言う具合に隣にそろえて並べたことである。これによって、更にそれらの表示をさがすのが容易になった。この実施例に加えて、上記の実施例２を用いればたちどころにその表示部の数字にタッチできるようになる。なお、この実施例を示す図６ではその階が丁度２０階分であるが、その図６に点線で示したように、多少の階数の差は問題ない。そして、その階数が３０階や４０階に至るときには、それをまとめて右に並べることによって解決できる。    
【産業上の利用可能性】
【００２０】
高層ビルや超高層ビルのエレベーターの籠の昇降ボタンの改良。
【図面の簡単な説明】
【００２１】
【図１】従来のエレベーターの籠の昇降操作ボタンの一実施例の平図を示したものである。
【図２】図１のものの別の実施例の平面図を示したものである。
【図３】本考案にかかるエレベーターの籠の昇降操作ボタンの一実施例の平図を示したものである。
【図４】図３のもののＡ−Ａ線側面断面図である。
【図５】図３のものの別の実施例の平面図を示したものである。
【図６】図３のもののさらに別の実施例の平面図を示したものである。
【符号の説明】
【００２２】
１  基本階表示部
２  「０」表示階表示部
３  「５」表示階表示部
４  一般階表示部
【図１】
0003124941.tif 000003
【図２】
0003124941.tif 000004
【図３】
0003124941.tif 000005
【図４】
0003124941.tif 000006
【図５】
0003124941.tif 000007
【図６】
0003124941.tif 000008